(57)【要約】      （修正有）【課題】乳幼児の自然な動きを制限することなく、且つ不快感を与えずに、人手を省略して哺乳する飲料用容器ホルダーを提供する。【解決手段】乳幼児の口元に飲料用容器Ａを保持するホルダーであって、乳幼児の胴体を覆い、乳幼児の胴体が収容される収容空間３を画成するボディ部２と、ボディ部２に胴体が収容された状態において、乳幼児の頭部に対応する位置に、収容空間３に連通する頭部用開口部３ａと、ボディ部２の上面から頭部用開口部３ａへ向かって傾斜する傾斜部４と、飲料用容器Ａを傾斜部４上に揺動可能に緊結する緊結部材５ａ〜５ｄとを備える。【選択図】図１
0003200312.tif 000002
【実用新案登録請求の範囲】
【請求項１】
乳幼児の口元に飲料用容器を保持するホルダーであって、
前記乳幼児の胴体を覆い、前記乳幼児の胴体が収容される収容空間を画成するボディ部と、
前記ボディ部に胴体が収容された状態において、前記乳幼児の頭部に対応する位置に、前記収容空間に連通する頭部用開口部と、
前記ボディ部の上面から前記頭部用開口部へ向かって傾斜する傾斜部と、
前記飲料用容器を前記傾斜部上に、揺動可能に緊結する緊結部材と
を備えることを特徴とする飲料用容器ホルダー。
【請求項２】
前記緊結部材は、
前記ボディ部上面に突出されたクリップ部と、
前記飲料用容器と、前記クリップ部とを連結する連結部材と
をさらに備えることを特徴とする請求項１に記載の飲料用容器ホルダー。
【請求項３】
前記ボディ部上面における前記飲料用容器の揺動範囲において、頭部用開口部の周縁に臨ませて延設される凸部材をさらに備えることを特徴とする請求項１に記載の飲料用容器ホルダー。
【請求項４】
前記ボディ部上面における前記飲料用容器の前記揺動範囲の両側端に、前記緊結部材に対して当接可能に突出された一対のストッパをさらに備えることを特徴とする請求項１に記載の飲料用容器ホルダー。
【請求項５】
前記ボディ部の前記頭部用開口部の両側方に、前記収容空間に連通する一対の腕用開口部をさらに備えることを特徴とする請求項１に記載の飲料用容器ホルダー。
【請求項６】
前記頭部用開口部と前記一対の腕用開口部との間において、前記乳幼児の両肩に沿うように湾曲された一対のショルダー部をさらに備えることを特徴とする請求項５に記載の飲料用容器ホルダー。
【請求項７】
可撓性を有するベルト状の部材であって、前記一対のショルダー部それぞれの端部から、前記ボディ部の両側部それぞれに対して着脱可能に取付けられる装着用ストラップをさらに備えることを特徴とする請求項６に記載の飲料用容器ホルダー。
【請求項８】
前記ボディ部前面に、上方に向けて開口する有底のポケットをさらに備えることを特徴とする請求項７に記載の飲料用容器ホルダー。
【考案の詳細な説明】
【技術分野】
【０００１】
本考案は、哺乳瓶等の容器を用いた哺乳において、乳幼児の口元で哺乳瓶を保持するための飲料用容器ホルダーに関する。
【背景技術】
【０００２】
乳幼児に対して、哺乳瓶を用いて母乳・人工乳（粉ミルク）・ジュース・お茶等の飲料を与える場合、哺乳者は、乳幼児が飲料を飲み終わるまで、哺乳瓶を口元で保持させておく必要がある。生後１ヶ月の新生児に対して哺乳する場合を例にすると、一般的には、１回の哺乳に要する時間は１０分から２０分程度であり、これを２時間から３時間おきに、１日に８回から１２回程度行う必要がある。これだけの長時間にわたって哺乳瓶を乳幼児の口元で保持することは、腕や肩の疲労を招くばかりでなく、昼夜の別なく哺乳に拘束されることで、哺乳者にとっての精神的な負担にもなっていた。このような課題を解決するために、従来より、哺乳瓶を用いた哺乳において、乳幼児の口元で哺乳瓶を保持する飲料用容器ホルダーが開発されている。
【０００３】
このような飲料用容器ホルダーとして、例えば、特許文献１に記載の技術は、保持具本体と、保持具本体から一方向に延在し、乳幼児の胴体を弾性変形して挟持する一対の胴体挟持部と、保持具本体から他方向に延在し、哺乳瓶を弾性変形して挟持する一対の哺乳瓶挟持部とを備え、一対の胴体挟持部との間には、湾曲した第１凹部が形成されている構成であった。
【０００４】
また、特許文献２に記載の技術は、枕本体に傾斜面を有する哺乳瓶ホルダーとポケットを設け、そこに接続して枕を形成するとともに、その枕の一端に凹部を形成する構成となっている。
【０００５】
しかしながら、特許文献１に記載された技術では、哺乳瓶保持具が乳幼児の胴体を挟持しながら哺乳瓶を保持するため、乳幼児の自然な動きを妨げてしまい、特に活発に体を動かしたがる乳幼児に対しては使用し難いという欠点があった。また、身体的な圧迫感を伴うため、乳幼児に不快感を与えやすく、乳幼児が哺乳を嫌悪するという結果を招きかねない。
【０００６】
特許文献２に記載された技術では、乳幼児が一定の方向を向いていなければ哺乳できないという欠点があり、仰向け等の好みの体勢や、動きながらの哺乳に適していないという欠点があった。
【先行技術文献】
【特許文献】
【０００７】
【特許文献１】特開２０１４−１３３０８３
【特許文献２】特開２００５−０２８０６９
【考案の概要】
【考案が解決しようとする課題】
【０００８】
そこで、本考案は、上記のような問題を解決するものであり、乳幼児の自然な動きを制限することなく、不快感を与えずに哺乳することができる飲料用容器ホルダーを提供することを目的とする。
【課題を解決するための手段】
【０００９】
上記課題を解決するために、本考案は、乳幼児の口元に飲料用容器を保持するホルダーであって、前記乳幼児の胴体を覆い、前記乳幼児の胴体が収容される収容空間を画成するボディ部と、前記ボディ部に胴体が収容された状態において、前記乳幼児の頭部に対応する位置に、前記収容空間に連通する頭部用開口部と、前記ボディ部の上面から前記頭部用開口部へ向かって傾斜する傾斜部と、前記飲料用容器を前記傾斜部上に、揺動可能に緊結する緊結部材とを備えることを特徴とする。
【００１０】
このような考案によれば、ボディ部で横臥する乳幼児の胴体全体を覆いながら、ボディ部上面に飲料用容器を緊結することができるので、乳幼児に直接触れることなく飲料用容器を保持することができ、哺乳者の手によって保持されなくても、乳幼児に哺乳を行うことが可能となる。このとき、乳幼児の胴体周囲には適度な空間が形成されるので、乳幼児の自由な動きを妨げることもなく、不快感を与えない。
【００１１】
上記考案において、前記緊結部材は、前記ボディ部上面に突出されたクリップ部と、前記飲料用容器と、前記クリップ部とを連結する連結部材とをさらに備えることが好ましい。このような考案によれば、飲料用容器はクリップ部を中心として左右に揺動することができ、乳幼児の自然な動きを妨げることなく哺乳させることができるようになる。また、飲料用容器を確実且つ容易にボディ部に緊結することができ、哺乳中に哺乳瓶が外れる等の事故を防ぐことができる。
【００１２】
上記考案において、前記ボディ部上面における前記飲料用容器の揺動範囲において、頭部用開口部の周縁に臨ませて延設される凸部材をさらに備えることが好ましい。このような考案によれば、凸部材が飲料用容器の下部を一点で支持することにより、飲料用容器を安定させることができる。
【００１３】
上記考案において、前記ボディ部上面における前記飲料用容器の前記揺動範囲の両側端に、前記緊結部材に対して当接可能に突出された一対のストッパをさらに備えることが好ましい。このような考案によれば、飲料用容器が左右に動いて落下することを防ぐことができる。
【００１４】
上記考案において、前記ボディ部の前記頭部用開口部の両側方に、前記収容空間に連通する一対の腕用開口部をさらに備えることが好ましい。このような考案によれば、乳幼児は腕を外に出すことができ、自分で飲料用容器に手を添えたりと、自由に動かすことができる。
【００１５】
上記考案において、前記頭部用開口部と前記一対の腕用開口部との間において、前記乳幼児の両肩に沿うように湾曲された一対のショルダー部をさらに備えることが好ましい。このような考案によれば、ホルダー全体の安定感が増し、飲料用容器の重みによってホルダーが乳幼児の頭部に倒れることを防ぐことができる。
【００１６】
上記考案において、可撓性を有するベルト状の部材であって、前記一対のショルダー部それぞれの端部から、前記ボディ部の両側部それぞれに対して着脱可能に取付けられる装着用ストラップをさらに備えることが好ましい。このような考案によれば、ホルダーを乳幼児の胴体に装着することができ、体を起こした状態で装着することが可能になる。
【００１７】
上記考案において、前記ボディ部前面には、上方に向けて開口する有底のポケットをさらに備えることが好ましい。このような考案によれば、飲料用容器ホルダーを、前掛けとして利用することができ、乳幼児の成長に合わせて機能を変化させることができ、本考案の利用範囲を拡大させることができる。
【考案の効果】
【００１８】
以上述べたように、本考案に係る飲料用容器ホルダーによれば、乳幼児の自然な動きを制限することなく、且つ不快感を与えずに、人手を省略して哺乳することができるようになる。
【図面の簡単な説明】
【００１９】
【図１】本考案に係る飲料用容器ホルダーの構成を示す斜視図である。
【図２】本考案に係る飲料用容器ホルダーの使用態様の説明図である。
【図３】本考案に係る飲料用容器ホルダーの背面図、平面図、側面図である。
【図４】本考案に係る凸部材において飲料用容器を支持する状態の説明図である。
【図５】本考案に係る飲料用容器ホルダーに装着用ストラップを取り付けた状態を示す斜視図である。
【図６】変更例に係る飲料用容器ホルダーに装着用ストラップの説明図である。
【考案を実施するための形態】
【００２０】
（飲料用容器ホルダーの構成）
以下に添付図面を参照して、本考案に係る飲料用容器ホルダーの実施形態を詳細に説明する。各図は本考案を十分に理解できる程度に概略的に示してあるに過ぎない。従って、本考案は図示例のみに限定されるものではない。また、参照する図面において、共通する構成要素や同様な構成要素については同一の符号を付し、それらの重複する説明を省略する。図１（ａ）は、本考案に係る飲料用容器ホルダーの構成を示す斜視図であり、図１（ｂ）は、飲料用容器を保持した状態の斜視図である。図２は、本考案に係る飲料用容器ホルダーの使用態様の説明図である。図３（ａ）は、凸部材において飲料用容器を支持する状態を説明する断面図、（ｂ）は、その平面図である。
【００２１】
本実施形態において、飲料用容器ホルダー１は、乳幼児の口元に飲料用容器を保持するホルダーであり、横臥する乳幼児の胴体を覆うように設置し、哺乳瓶等の飲料用容器を乳幼児の口元付近に保持するためのものである。
【００２２】
ボディ部２は、図１（ａ）に示すように、横臥する乳幼児を覆うようにして設置した際、床面との間に乳幼児の胴体を収容する収容空間３を画成する。このボディ部２の形状は、例えば、略半円筒状であることが好ましい。ボディ部２の上面には、乳幼児の頭部側に、傾斜部４、凸部材６、ストッパ７を備え、その反対側にはクリップ部５ａを備えている。また、ボディ部２の材質は、木製・合成樹脂製・金属製等種々考えられるが、乳幼児を落下物等の危険から守るという観点から、衝撃に強くて耐性に優れた材質であることが好ましい。また、図示していないが、ボディ部２としては、ポリ塩化ビニル製等の袋体に空気を注入して膨らませる浮き袋状の構成とすることも可能であり、十分な空気圧を保てば、上述したように乳幼児を保護することができるばかりか、軽量で持ち運びやすい、折り畳んで収納できるといった利点もある。
【００２３】
収容空間３は、ボディ部２と床面とによって画成される空間であり、乳幼児が自然に体を動かせるに十分な内径を有する。ボディ部２に乳幼児の胴体が収容された状態において、乳幼児の頭部に対応する位置に、収容空間３に連通する頭部用開口部３ａが形成される。
【００２４】
また、頭部用開口部３ａの両側方、つまり、乳幼児の両腕に対応する位置には、収容空間３に連通する一対の腕用開口部３ｂ、３ｃが形成されている構成であってもよい。
【００２５】
ボディ部２の上面においては、ボディ部２の上面から頭部用開口部３ａへ向かって傾斜する傾斜部４が設けられている。この傾斜部４は、頭部用開口部３ａの形状に沿って円弧状に形成されており、頭部用開口部３ａ中央の乳幼児の口元に向かってすり鉢状に凹んでいる。また、傾斜部４の円弧半径は、凸部材６の湾曲半径よりも小さく設定されている。
【００２６】
また、ボディ部２の上面における飲料用容器の揺動可能範囲において、頭部用開口部３ａの周縁に臨ませて、凸部材６が延設されている。凸部材６は、断面が半円をなす蒲鉾状の部材であり、傾斜部４の円弧半径よりも大きめの半径をもって湾曲されている。なお、凸部材６は、弾力性、緩衝性に優れ摩擦性のある材質であり、本実施形態ではゴムが用いられている。
【００２７】
さらに、ボディ部２の上面における飲料用容器の揺動可能範囲の両測端には、一対のストッパ７が設けられている。このストッパ７は突起物であって、後述するように、緊結部材５によって連結されている飲料用容器が揺動する際、揺動範囲の両端にあるストッパ７によって左右への動きが制限されるよう、緊結部材５の連結部材であるひも状部材５ｂに当接可能に突出して設けられている。
【００２８】
緊結部材５は、飲料用容器を傾斜部４上に、揺動可能に緊結する機構である。本実施例において緊結部材５は、図１（ｂ）に示すように、ボディ部２の上面に突出したクリップ部５ａと、飲料用容器Ａとクリップ部５ａとを連結するひも状部材５ｂによって構成されている。ひも状部材５ｂは、両端に飲料用容器Ａの径に対応する環状部５ｃ、クリップ部５ａの付け根に位置される柱状のネック部５ｄとから構成される。材質はゴムバンドのように適度な伸縮性を有する素材が好ましい。また、クリップ部５ａ、ひも状部材５ｂとが別々に構成されている必要はなく、例えば、クリップ部と連結部材が一体となっていたり、あるいは、飲料用容器と連結部材が一体となっていても構わない。
【００２９】
クリップ部５ａに関し、傾斜部４の反対側、つまり乳幼児の足側に設けられていると、ひも状部材５ｂは長くなり、飲料用容器Ａの揺動範囲は広くなる。この場合、飲料用容器Ａは細かな動きが制限されず、乳幼児は比較的自由に動きながらの哺乳が可能となる。逆に、クリップ部を傾斜部４に近づけて設けると、ひも状部材５ｂは短くなり、飲料用容器Ａの揺動範囲は狭くなる。この場合は、乳幼児の細かな動きに対する許容が少なくなるが、代わりに安定感をもたらし、低月齢の乳幼児にとってはかえって好適である。このように、乳幼児の個人差や月齢差等によって最適な揺動範囲は異なるため、クリップ部５ａの位置やひも状部材５ｂの長さは調節可能に構成されていてもよい。
【００３０】
ショルダー部８は、頭部用開口部３ａと、腕用開口部３ｂ，３ｃとの間に左右一対で構成されており、乳幼児の両肩に沿って湾曲している。設置時には、このショルダー部８が乳幼児の頭部の両脇で接地する形となるため、飲料用容器の重みによって飲料用容器ホルダー１が乳幼児の側に倒れることを防げる。
【００３１】
装着用ストラップ９は、図５（ａ）及び（ｂ）に示すように、左右のショルダー部８の端部それぞれと、ボディ部２の両側面部とに着脱可能に取り付けることができる可撓性を有するベルト状の部材である。本実施形態においては、バックル９１を介して４本の装着用ストラップ９が、乳幼児の背中部分において相互に連結されることにより、乳幼児が前掛けとして装着することができるようになっている。この際には、同図（ｂ）に示すような、ボディ部２の下端部にポケット２１を設けるなどして、前掛けとしての機能を高めるようにしてもよい。これにより、乳幼児の成長に合わせて機能を変化させることができ、本考案の利用範囲を拡大させることができる。
【００３２】
また、装着用ストラップとしては、図６に示すような、ゴム等の樹脂で一体成型された簡易式のストラップ９２としてもよい。このストラップ９２は、左右のショルダー部８の端部それぞれに嵌合される嵌合部９２ａ、９２ａを連結部９２ｂで接続した形状をなしており、嵌合部９２ａの挿通孔９２ｃを左右のショルダー部８の端部それぞれに差込んで、装着用ストラップ９２を乳幼児のうなじ部分に掛け渡し、乳幼児の背後で左右のショルダー部８が相互に連結されることにより、乳幼児が前掛けとして装着することができるようになっている。
【００３３】
（使用態様）
次いで、上述した飲料用容器ホルダー１の使用態様について説明する。図２は、本考案に係る飲料用容器ホルダーの使用態様の説明図である。
【００３４】
最初に、哺乳者は横臥している乳幼児Ｂに覆い被せるようにして飲料用容器ホルダー１を設置する。この際、乳幼児Ｂの頭部が頭部用開口部３ａに、左右のショルダー部８が乳幼児Ｂの両肩に当たるように設置する。そして、ミルク等の飲料を入れた飲料用容器Ａを用意し、ひも状部材５ｂの一端にある環状部５ｃを巻き付ける。次に、もうひも状部材５ｂの他端を、クリップ部５ａのネック部５ｄに留め付ける。次いで、飲料用容器Ａの下部が凸部材６に当接するようにして、飲料用容器Ａをボディ部上面に置く。このとき、ひも状部材５ｂに弛みがないように調節する。そして、最後に、飲料用容器Ａの先端を乳幼児Ｂに咥えさせる。
【００３５】
飲料用容器Ａをボディ部上面に設置したときの状態について、図４を用いて説明する。図４は、飲料用容器Ａを保持した状態において、凸部材上にかかる力の作用を説明する断面図（ａ）及び平面図（ｂ）である。
【００３６】
図４（ａ）に示すように、飲料用容器Ａの下部を凸部材６に当接させて設置すると、自然に、容器の上部が傾斜部４に当接されるように、下向きに傾斜した状態となる。このとき、飲料用容器Ａは凸部材６との接点Ｐと凸部材６との２点において支持され、凸部材６の粘性による滑止効果により、縦の動きに対して安定させて飲料容器Ａがずれ下がるのを防止できる。
【００３７】
また、図４（ｂ）に示すように、紐状のひも状部材５ｂによって、飲料用容器Ａの揺動範囲が円弧状に制限されているとともに、傾斜部４の円弧半径は、凸部材６の湾曲半径よりも小さく設定されており、凸部材６はゴムのような可撓性のある素材であるから、飲料用容器Ａの底部側は左右に揺動可能となる（図中点線）一方、ストッパ７に引っ掛けるようにして屈曲させる（図中実線）ことができ、飲料用容器Ａの先端部分にある哺乳口を、幼児の口元にあたる点Ｍを中心点として円弧を描くように揺動させたり、ストッパ７を支点として揺動させたりすることができる。その結果として、乳幼児の口元において、乳幼児の自然な細かな動きに対応できるようになる。
【００３８】
装着用ストラップ９を使用する際は、乳幼児を横臥させる前に装着させる必要がある。まず体を起こした状態で飲料用容器ホルダー１を乳幼児の胴体に当て、頭部用開口部３ａが頭部を、腕用開口部３ｂ，３ｃが両腕を通すように装着する。次いで、装着用ストラップ９を左右のショルダー部８から背中に掛け回し、ボディ部２に両端に取り付けてある装着用ストラップ９と背中の中央において、バックル９１で固定する。乳幼児は飲料用容器ホルダー１を装着したまま移動することも可能となり、飲料を飲ませる際は横臥させて上述したとおりに使用する。
【００３９】
（作用・効果）
このような本実施形態によれば、飲料用容器ホルダー１で飲料用容器Ａを保持したまま、乳幼児Ｂに哺乳することが可能となり、哺乳者は始終飲料用容器Ａを手で支えている必要がなくなり、哺乳者にとって身体的・精神的な負担を軽減することができる。また、飲料用容器Ａは自然な揺動運動が可能な状態で保持されるため、乳幼児Ｂが飲料用容器Ａを咥えたまま首を左右に揺すったり、体を思い通りに動かすようなことがあっても、飲料用容器Ａは安定して保持される。従って、乳幼児Ｂは自然な体勢のままで、思い通りに動きながら哺乳することができ、哺乳に不快感を抱くことを軽減することができる。
【００４０】
また、本実施形態によれば、飲料用容器Ａが、ひも状部材５ｂを介してクリップ部５ａと連結されるため、飲料用容器Ａはクリップ部５ａを中心として左右に揺動することができるようになり、乳幼児の自然な動きを妨げることなく哺乳させることができるようになる。また、飲料用容器を確実且つ容易にボディ部２に緊結することができ、哺乳中に飲料用容器Ａが外れる等の事故を防ぐことができる。
【００４１】
また、本実施形態によれば、凸部材６が飲料用容器Ａの下部を点Ｐで支持することにより、飲料用容器Ａを安定させるとともに、容器上部には細かな動きを許容することで、乳幼児Ｂの自然な動きを妨げることなく哺乳させることができるようになる。
【００４２】
さらに、本実施形態によれば、飲料用容器Ａの両側にストッパが備えられることにより、過度な揺動によって飲料用容器Ａが落下することを防ぐことができる。このとき、本実施形態によれば、乳幼児Ｂは腕用開口部３ｂ，３ｃから腕を出すことができるため、自分で飲料用容器Ａを支持する等、自由な動きを制限することなく哺乳することができる。
【００４３】
また、本実施形態によれば、乳幼児Ｂの両肩に沿ってショルダー部８が備わっているため、ホルダー全体の安定感が増し、飲料用容器の重みによってホルダーが乳幼児の頭部に倒れることを防ぐことができる。さらに、本実施形態によれば、乳幼児Ｂが体を起こした状態であっても、飲料用容器ホルダー１を装着することが可能になる。これによって、哺乳時以外でも飲料用容器ホルダー１を装着しておくことが可能になるので、例えば、頻繁に哺乳を繰り返す場合などは、飲料用容器ホルダー１を装着したままにしておけば、その都度着脱させる手間を省くことができる。
【符号の説明】
【００４４】
Ａ…飲料用容器
Ｂ…乳幼児
Ｐ…接点
１…飲料用容器ホルダー
２…ボディ部
３…収容空間
３ａ…頭部用開口部
３ｂ，３ｃ…腕用開口部
４…傾斜部
５…緊結部材
５ａ…クリップ部
５ｂ…連結部材
５ｃ…環状部
５ｄ…ネック部
６…凸部材
７…ストッパ
８…ショルダー部
９…装着用ストラップ
２１…ポケット
９１…バックル
９２…簡易ストラップ
【図１】
0003200312.tif 000003
【図２】
0003200312.tif 000004
【図３】
0003200312.tif 000005
【図４】
0003200312.tif 000006
【図５】
0003200312.tif 000007
【図６】
0003200312.tif 000008